(57)【要約】【課題】  押し入れに設置する際、工事する手間が必要なく、また、収納物の収納方法に制約が出なく、また、安全性の高い押し入れ乾燥装置を得る。【解決手段】  押し入れの高さと同等の高さを持つＬ字型筒状袋８のＬ字の頂点方向のＡ面９に複数の開閉自在な開口部Ａ１０を設けると共に、前記Ｌ字型筒状袋８のＬ字の底面方向のＢ面１１、またはＢ面１１に直角な凸部のＣ面１３に複数の開口部Ｂ１２を設け、前記開口部Ａ１０に温風を送風する温風機１５より連結管１９を介して温風を供給し、開口部Ｂより温風を吹き出すようにした。  また、Ｌ字型筒状袋のＬ字底面方向のＢ面、またはＢ面に直角な凸部のＣ面に設けた複数の開口部Ｂは、夫々が開閉自在に構成した。【選択図】  図４
2005264532.tif 000002
【特許請求の範囲】
【請求項１】
押し入れの高さと同等の高さを持つＬ字型筒状袋（８）のＬ字の頂点方向のＡ面（９）に複数の開閉自在な開口部Ａ（１０）を設けると共に、前記Ｌ字型筒状袋（８）のＬ字の底面方向のＢ面（１１）、またはＢ面（１１）に直角な凸部のＣ面（１３）に複数の開口部Ｂ（１２）を設け、前記開口部Ａ（１０）に温風を送風する温風機（１５）より連結管（１９）を介して温風を供給し、開口部Ｂ（１２）より温風を吹き出すようにしたことを特徴とした押し入れ乾燥装置。
【請求項２】
Ｌ字型筒状袋（８）のＬ字底面方向のＢ面（１１）、またはＢ面（１１）に直角な凸部のＣ面（１３）に設けた複数の開口部Ｂ（１２）は、夫々が開閉自在に構成したことを特徴とする請求項１記載の押し入れ乾燥装置。
【請求項３】
Ｌ字型筒状袋（８）のＬ字の底面方向のＢ面（１１）の一部に凹部（１４）を設けたことを特徴とする請求項１記載の押し入れ乾燥装置。
【発明の詳細な説明】
【技術分野】
【０００１】
本発明は、押し入れに収納されたふとん等を乾燥させることのできる押し入れ乾燥装置に関する。
【背景技術】
【０００２】
従来のこの種の乾燥装置は、図６に示すような構造のものが知られている。すなわち、ふとん等を収納する押し入れ等の収納体１６の棚板１内部に設置された、ヒータ２と送風機３とからなる温風発生装置４と、収納体１６の側壁５に配備された送風ダクト６および送風ダクト６から連通された吐出管７により構成されており、温風発生装置４で発生した温風は送風ダクト６に吹き込まれ、吐出管７によりふとん内部に吹き込むことによりふとんを乾燥するものであった（例えば、特許文献１参照）。
【０００３】
【特許文献１】実開昭５４−１４７８５９号公報
【発明の開示】
【発明が解決しようとする課題】
【０００４】
しかしながら、上記の従来技術による乾燥機は、押し入れの棚板に取り付けをする必要があり、工事をする手間があった。また、吐出管が押し入れ内に突き出しているため、その分ふとん等の収納物を入れる際、収納方法に制約がでるという不具合があった。加えてヒータを内蔵した温風発生装置を木製の棚板の内部に取付けるため、吸気部の閉塞等により温風発生装置のヒータに異常加熱が発生した場合、棚板や送風ダクトが配備された側壁の木壁等が異常加熱して火災に発展する不安があった。
【課題を解決するための手段】
【０００５】
本発明は上記の問題を解決するためになされたものであり、押し入れの高さと同等の高さを持つＬ字型筒状袋のＬ字の頂点方向のＡ面に複数の開閉自在な開口部Ａを設けると共に、前記Ｌ字型筒状袋のＬ字の底面方向のＢ面、またはＢ面に直角な凸部のＣ面に複数の開口部Ｂを設け、前記開口部Ａに温風を送風する温風機より連結管を介して、温風を供給し、開口部Ｂより温風を吹き出すようにしたものである。
【０００６】
また、Ｌ字型筒状袋のＬ字底面方向のＢ面、またはＢ面に直角な凸部のＣ面に設けた複数の開口部Ｂは、夫々が開閉自在に構成したものである。
【０００７】
また、Ｌ字型筒状袋のＬ字の底面方向のＢ面の一部に凹部を設けたものである。
【発明の効果】
【０００８】
本発明の押し入れ乾燥装置は、上記のように構成したことにより、請求項１では、わざわざ温風機を押し入れ内に取り付けなくても、例えば、布団乾燥機のような温風発生装置を利用してＬ字型筒状袋に温風を送風することで簡単に押し入れ乾燥ができるため、工事の手間が掛からず、収納物を入れる際には、収納方法に制約が出ることもなく、さらに、温風発生装置を押し入れの外に設置するので安全性に有利である。
【０００９】
また、Ｌ字型筒状袋は使用しない時は折り畳たんで、小さく収納できるため収納場所を取らず大変使い勝手がよい。
【００１０】
また、Ｌ字型筒状袋のＡ面の開口部は複数個設けてあるため、Ｌ字型筒状袋を押し入れの右扉側および左扉側どちらに取り付けても、Ｌ字型筒状袋をひっくり返すことで、どの方向でも取り付け可能であり、大変使い勝手が良い。
【００１１】
また、請求項２では、Ｌ字型筒状袋のＢ面の開口部は開閉自在であるため、棚板の上側と下側の収納物の有無、および量の多少により開口部の開閉を調整して、温風の出方を調整できるので、効率よく収納物を乾燥することができる。
【００１２】
また、請求項３では、Ｌ字型筒状袋のＢ面に凹部を設けることにより、押し入れの棚板の出っ張りをこの凹部に入れることによりＬ字型筒状袋を押し入れに隙間なく密着させて設置できるので温風を効率よく押し入れ内に循環させて乾燥させることができる。
【発明を実施するための最良の形態】
【００１３】
以下、本発明の一実施例を図１〜図５を参照して説明する。図１は本発明の一実施例を示す押し入れ乾燥装置のＬ字型筒状袋の斜視図、図２は同じくＬ字型筒状袋のＰ矢視図、図３は同じく横断面図、図４は同じく正面図、図５は同じく縦断面図である。
【００１４】
図において、８はＬ字型筒状袋で押し入れの高さとほぼ同等の高さを有し、気密性のある繊維で袋状に縫製したものである。
【００１５】
９はＡ面で、Ｌ字型筒状袋８のＬ字の頂点方向にある面であり、このＡ面９には開閉自在な開口部Ａ１０が上下２箇所に設けられている。そして、この開口部Ａ１０はファスナー１０ａで開閉自在となっていて、閉じられたときには気密性がある程度保たれるようになっている。
【００１６】
１１はＢ面で、Ｌ字型筒状袋８のＬ字の底面方向にある面であり、このＢ面１１にはＡ面９と同様に開閉自在な開口部Ｂ１２が上下２箇所に設けられている。そして、この開口部Ｂ１２はファスナー１２ａで開閉自在となっていて、閉じられたときには気密性がある程度保たれるようになっている。
【００１７】
１３はＣ面で、Ｂ面１１に対し直角な凸部にある面であり、本実施例では開閉自在な開口部は設けていないが、前記開口部Ｂ１２をＢ面１１に設けずにＣ面１３に設けるようにしても良い。
【００１８】
１４はＢ面１１の一部に設けた凹部で、本実施例ではＬ字型筒状袋８の高さ方向のほぼ中央部に設けられている。
【００１９】
１５は温風機で、内部にヒータ（図示せず）と送風機（図示せず）を内在し吸気口（図示せず）より吸気した空気をヒータにより加熱して温風にし、後記する連結管１９によりＬ字型筒状袋８に供給する機能を持っている。
【００２０】
１６はふとん等を収納する押し入れである。１７は押し入れ１６の扉である左側扉である。１８は押し入れ１６の扉であるの右側扉である。
【００２１】
１９は連結管で、屈曲自在な蛇腹状のもので温風機１５とＬ字型筒状袋８を接続するものであり、Ｌ字型筒状袋８のＡ面９に設けられた開口部Ａ１０のファスナー１０ａを開け、先端部を挿入した後ファスナー１０ａをきつく閉めることにより空気が漏れにくくするとともに、簡単に連結管１９とＬ字型筒状袋８の接続が外れないように接続することができるものである。
【００２２】
２０は連結管１９より送風される温風を表している。２０ａは温風Ａで、Ｌ字型筒状袋８のＢ面に設けられた開口部Ｂ１２より押し入れ１６内に放出される状態を表している。２０ｃは温風Ｃで、押し入れ１６から室内に放出される状態を表している。２１はふとん等の収納物である。２２は押し入れ８の棚板である。
【００２３】
次に、以上の構成による作用を説明する。
【００２４】
最初に、Ｌ字型筒状袋８のＡ面９の下側に設けられた開口部Ａ１０に温風機１５と連通する連結管１９をファスナー１０ａを介して接続する。この時Ｌ字型筒状袋８のＡ面９の上側に設けられた開口部Ａ１０のファスナー１０ａは閉じた状態にする。また、Ｌ字型筒状袋８のＢ面１１の２箇所の開口部Ｂ１２のファスナー１２ａは開いた状態にしておく。
【００２５】
次に、温風機１５より連結管１９を介して温風をＬ字型筒状袋８に送風すると、Ｌ字型筒状袋８は温風により膨れ、Ｌ字型で高さのある筒状に膨れる。
【００２６】
次に、この膨れたＬ字型筒状袋８を押し入れ１６の左側扉１８を開けて、このＬ字型筒状袋８のＢ面１１およびＣ面１３を含むＬ字の底面と凸部を押し入れ１６の左側の柱と左側扉１７の間に挿入し、同時に、Ｌ字型筒状袋８のＢ面１１に設けた凹部１４を押し入れ１６の棚板２２の出っ張りを逃げるように差し込み、左側扉１７をＬ字型筒状袋８に押し付け、Ｌ字型筒状袋８を柱と左側扉１７の間に固定する。これによりＬ字の凸部がストッパの役目をして、Ｌ字型筒状袋８が押し入れ１６の扉の部分から外れないようになる。
【００２７】
したがって、Ｌ字型筒状袋８のＢ面１１の開口部Ｂ１２、あるいはＢ面に直角なＣ面１３に開口部Ｂ１２を設けた場合でも、これらの開口部Ｂ１２から温風Ａを吹き出しても、Ｌ字型筒状袋８が温風Ａ２０ａを吹き出す圧力により押し入れ１６の外に押し出されることはない。
【００２８】
そして、Ｂ面１１の開口部Ｂ１２より送風された温風Ａ２０ａは押し入れ１６の内部を温風２０として流れ、押し入れ１６内の収納物２１を乾燥させて、その後右側扉１８と柱との隙間より温風Ｃ２０ｃとなって室内に放出される。
【００２９】
次に、例えば、収納物が棚板２２の上側だけに収納されている場合は、Ｌ字型筒状袋８のＢ面１１にある開口部Ｂ１２のうち、下側の開口部Ｂ１２をファスナー１２ａにより閉塞することにより、上側の開口部Ｂ１２より集中的に温風Ａ２０ａを送風することができるので、収納物を効率よく乾燥することができる。
【００３０】
また、押し入れ１６が有る部屋の位置関係で、押し入れ１６の右側扉１８側にＬ字型筒状袋８を取り付けたい場合は、Ｌ字型筒状袋８をひっくり返し、左側扉１７に取り付けた時は上側となっていた開口部Ａ１０に温風機１５と連通する連結管１９をファスナー１０ａを介して接続するようにすれば、左右どちらの扉側にも取り付けることができるので非常に使いやすいものである。
【００３１】
このように、Ｌ字型筒状袋８を押し入れ１６の柱と左側扉１７の間に固定し、温風機１５により温風を送風することで簡単に押し入れ乾燥ができるため、工事の手間が掛からず、収納物を入れる際、収納方法に制約が出ることもなく、さらに、温風機１５を押し入れの外に設置するので安全性に有利である。
【００３２】
また、Ｌ字型筒状袋８のＢ面１１およびＣ面１３を含むＬ字の底面および凸部を押し入れ１６の柱と戸の間に挿入し、戸をＬ字型筒状袋８に押し付けることで、Ｌ字型筒状袋８を柱と戸の間に固定でき、かつ、Ｌ字の凸部がストッパの役目をするため、底面方向Ｂ面１１またはＢ面１１に直角なＣ面１３の複数の開口部Ｂ１２から温風を吹き出しても、Ｌ字型筒状袋８が温風を出す圧力により、押し入れ１６の外に押し出されることはない。
【００３３】
また、Ｌ字型筒状袋８は使用しない時は折り畳たんで、小さく収納できるため収納場所を取らず大変使い勝手がよい。
【００３４】
また、Ｌ字型筒状袋８のＡ面９の開口部Ａ１０は複数個設けてあるため、Ｌ字型筒状袋８を押し入れ１６の右扉側１８および左扉側１７どちらに取り付けても、Ｌ字型筒状袋８をひっくり返すことで、どの方向でも取り付け可能であり、大変使い勝手が良い。
【００３５】
また、Ｌ字型筒状袋８のＢ面１１の開口部Ｂ１２は開閉自在であるため、棚板２２の上側と下側の収納物の有無、および量の多少により開口部Ｂ１２の開閉を調整して、温風２０ａの出方を調整できるので、効率よく収納物を乾燥することができる。
【００３６】
また、Ｌ字型筒状袋８のＢ面１１に凹部１４を設けることにより、押し入れ１６の棚板２２の出っ張りをこの凹部１４に入れることによりＬ字型筒状袋８を押し入れ１６に隙間なく密着させて設置できるので温風を効率よく押し入れ内に循環させて乾燥させることができる。
【図面の簡単な説明】
【００３７】
【図１】本発明の一実施例を示す押し入れ乾燥装置のＬ字型筒状袋の斜視図である。
【図２】同じくＬ字型筒状袋のＰ矢視図である。
【図３】同じく横断面図である。
【図４】同じく正面図である。
【図５】同じく縦断面図である。
【図６】従来例を示す斜視図である。
【符号の説明】
【００３８】
８    Ｌ字型筒状袋
９    Ａ面
１０  開口部Ａ
１１  Ｂ面
１２  開口部Ｂ
１３  Ｃ面
１４  凹部
１５  温風機
１９  連結管
【図１】
2005264532.tif 000003
【図２】
2005264532.tif 000004
【図３】
2005264532.tif 000005
【図４】
2005264532.tif 000006
【図５】
2005264532.tif 000007
【図６】
2005264532.tif 000008